(57)【要約】【課題】  スクリーン布を長く引き出して自立させることで、脚に見合う高さを確保することができ、脚を省くことで部品点数を削減し、持ち運びや収納に利便性を十分に生かすことができる折り畳み式スクリーンを提供する。【解決手段】  上面が開放した横長のケース１１内に、ロール巻きした状態で上方への引き出しと常時巻き取り弾性が付勢されたスクリーン布１２と、この布１２の引き出しに追従して伸長するパンタグラフ機構１３でスクリーン布１２の引き出し状態を保持した折り畳み式スクリーンにおいて、前記パンタグラフ機構１３が、下端枢止点をケース１１に枢止した主パンタグラフ枠１５と、この主パンタグラフ枠１５の下部に左右一対の保持杆１６、１６を設け、主パンタグラフ枠１５の上部に伸縮するよう取付けた延長用パンタグラフ枠１７とで構成し、この延長用パンタグラフ枠１７の上端枢止点がスクリーン布１２の上端部に結合されている。【選択図】      図１
2005345660.tif 000002
【特許請求の範囲】
【請求項１】
上面が開放した横長のケース内に、ロール巻きした状態で上方への引き出しと常時巻き取り弾性が付勢されたスクリーン布を収納し、前記スクリーン布の後方位置に、下部を前記ケースに取付けて上下に伸縮自在となり、上部を前記スクリーン布の上端に取付けたパンタグラフ機構を設け、このパンタグラフ機構が、スクリーン布の巻き取り状態で折り畳まれてケース内に収まり、スクリーン布の引き出しに追従して伸長し、スクリーン布の引き出し状態を保持するようになっている折り畳み式スクリーンにおいて、前記パンタグラフ機構が、四本の長尺枠材を枢止結合して上下の伸縮と折り畳みが可能となるよう組み立てられ、下端枢止点をケースに枢止した主パンタグラフ枠と、
この主パンタグラフ枠の下部に位置する両側長尺枠材にそれぞれ途中を枢止し、上端を互に枢止結合すると共に下端をケース内に横移動可能となるよう取付けた左右一対の保持杆と、四本の短尺枠材を枢止結合して上下の伸縮と折り畳みが可能となるよう組み立てられ、下部に位置する両側短尺枠材の途中を、前記主パンタグラフ枠の上部に位置する両側枠材にそれぞれ枢止し、主パンタグラフ枠と一体に伸縮するよう取付けた延長用パンタグラフ枠とで形成され、この延長用パンタグラフ枠の上端枢止点をスクリーン布の上端部に結合したことを特徴とする折り畳み式スクリーン。
【請求項２】
上記の主パンタグラフ枠の下部に位置する両側長尺枠材の途中が、下端をケースに枢止した弾性伸縮部材でそれぞれ支持されていることを特徴とする請求項１に記載の折り畳み式スクリーン。
【請求項３】
上記スクリーン布は、下部から途中までがスクリーンカットマスクになっていることを特徴とする請求項１又は２に記載の折り畳み式スクリーン。
【請求項４】
上記主パンタグラフ枠及び延長用パンタグラフ枠の夫々を構成する四本の枠材が、前後方向に段差無く枢着されていることを特徴とする請求項１乃至４に記載の折り畳み式スクリーン。
【発明の詳細な説明】
【技術分野】
【０００１】
この発明は、会議やミーティング、家庭等において、スライド映写機、フィルム映写機、ビデオ映写機、液晶プロジェクタ、ＯＨＰ等の各種映像機器の映像を映写するために用いる折り畳み式スクリーンに関する。
【背景技術】
【０００２】
上記したような、各種映像機器の映像を映写するために用いる折り畳み式スクリーンには、幾つかのタイプが提案されているが、使用しないとき横長のケース内に主要構成部材を収納できるようにした折り畳み式スクリーンは、全体がコンパクトになり、持ち運びや収納に便利であるという利点がある。
【０００３】
従来の折り畳み式スクリーンは、図６に示すように、上面が開放した横長のケース１に自立させるための脚２を着脱自在に取付け、このケース１内に、ロール巻きした状態で上方への引き出しと常時巻き取り弾性が付勢されたスクリーン布３を収納し、前記スクリーン布３の後方位置に、下部を前記ケース１に取付けて上下に伸縮自在となり、上部を前記スクリーン布３の上端に取付けたパンタグラフ機構４を設け、このパンタグラフ機構４が、四本の枠材５をピンで枢着結合して上下の伸縮と折り畳みが可能となるよう組み立てられ、下端枢着点をケース１に枢着し、上端枢着点をスクリーン布３の上辺を支持する横桟８の中央部に結合したパンタグラフ枠６と、このパンタグラフ枠６の下部に位置する両側枠材５にそれぞれ途中を枢着し、上端を互に枢着結合すると共に下端をケース１内に横移動可能となるよう取付けた左右一対の保持杆７とで形成され、パンタグラフ枠６が、スクリーン布３の巻き取り状態で折り畳まれてケース１内に収まり、スクリーン布６の引き出しに追従して伸長し、スクリーン布６の引き出し状態を保持するようになっている（特許文献１参照）。
【０００４】
また、スクリーンを縦に長く取ろうとする場合、パンタグラフ機構も大きくなるが、あまりパンタグラフ機構を大きくしすぎると収納時に横に枠材がはみ出てしまうので、４本より多くの枠材を用いることにより、各枠材の長さを抑えつつ枠材の上へ伸ばした距離を多く取りスクリーンの高さをかせいだものもある。
【０００５】
図７は、６本の枠材を「８の字」状に組み合わせて高さを取ったスクリーン装置を示す背面斜視図で、２本の下側枠材５ａの下端部を枢着し、２本の上側枠材５ｃの上端部を枢着し、これら下側枠材５ａと上側枠材５ｃの倍の長さをもつ２本の中間枠材５ｂをその中央部の枢着点９で枢着してＸ字状に組み、更に中間枠材５ｂの上端部を上側枠材５ｃの下端部と枢着し下端部を下側枠材５ａの上端部と枢着し、８の字状となるパンタグラフ枠１０とし、このパンタグラフ枠１０の下端部となる下側枠材５ａの枢着部をケース１の中央部に枢着し、上端部となる上側枠材５ｃの枢着部をスクリーン布３の上辺を支持する横桟８の中央部に結合して構成されたもので、スクリーン布３を使用する時は、下側枠材５ａ、中間枠材５ｂ、及び上側枠材５ｃの長さを利用してスクリーン布３を上に大きく伸ばせ、折り畳んだ時は、パンタグラフ枠１０の横幅は中間枠材５ｂの長さに納まり、縦幅に比べて横幅が短いスクリーン布３を用いた、例えば縦長のスクリーン装置や背の高いスクリーン装置に適する機構としたものもある（例えば、特許文献２）。
【特許文献１】実用新案登録第３０８１０２７号公報（図１、図２、図３）
【特許文献２】特開２０００−１３１７６６号公報（図１）
【発明の開示】
【発明が解決しようとする課題】
【０００６】
ところで、上記した図７に示す折り畳み式スクリーンは、自立させるために、ケース１の下部両側に脚２を着脱可能に取付けた構造になっているので、スクリーン全体として脚２の分だけ部品点数が増えることになり、使用しないとき横長のケース１内に主要構成部材を収納できても、取り外した脚２は別になるので、持ち運びや収納に対して邪魔になり、折り畳み式スクリーンの持ち運びや収納の利便性を十分に生かすことができないという問題がある。
【０００７】
また、図８の折り畳み式スクリーンのように、６本の枠材を８の字状に組んだパンタグラフ枠１０を用いた場合、中間枠材５ｂが中央で交差する枢着点９で必ず中間枠材５ｂが前後することとなり、この枢着点９のピン止めのガタやパンタグラフ枠１０への力のかかり具合等種々の要因によりパンタグラフ枠１０の上端の横桟８への取付位置で捻れが生じ、横桟８が取付位置を中心に回転して下端のケース１と平行を保てなくなり、スクリーン布３全体が捻れて平面性が無くなり映像の安定が保たれなくなる。
【０００８】
そして、スクリーン布３の高さ、即ちパンタグラフ枠１０の高さが高くなればなるほど上記影響は顕著となる。
【０００９】
そこで、この発明の課題は、スクリーン布を長く引き出して自立させることで、脚に見合う高さを確保することができ、脚を省くことで部品点数を削減し、持ち運びや収納に対する利便性を十分に生かすことができる折り畳み式スクリーンを提供することにある。
【００１０】
更に、スクリーン布の上下寸法が高くても、スクリーン布に捻れが生じて平面性が失われることが無いような折り畳み式スクリーンを提供することを課題とする。
【課題を解決するための手段】
【００１１】
上記のような課題を解決するため、請求項１の発明は、上面が開放した横長のケース内に、ロール巻きした状態で上方への引き出しと常時巻き取り弾性が付勢されたスクリーン布を収納し、前記スクリーン布の後方位置に、下部を前記ケースに取付けて上下に伸縮自在となり、上部を前記スクリーン布の上端に取付けたパンタグラフ機構を設け、このパンタグラフ機構が、スクリーン布の巻き取り状態で折り畳まれてケース内に収まり、スクリーン布の引き出しに追従して伸長し、スクリーン布の引き出し状態を保持するようになっている折り畳み式スクリーンにおいて、前記パンタグラフ機構が、四本の長尺枠材を枢着結合して上下の伸縮と折り畳みが可能となるよう組み立てられ、下端枢着点をケースに枢着した主パンタグラフ枠と、この主パンタグラフ枠の下部に位置する両側長尺枠材にそれぞれ途中を枢着し、上端を互に枢着結合すると共に下端をケース内に横移動可能となるよう取付けた左右一対の保持杆と、四本の短尺枠材を枢着結合して上下の伸縮と折り畳みが可能となるよう組み立てられ、下部に位置する両側短尺枠材の途中を、前記主パンタグラフ枠の上部に位置する両側枠材にそれぞれ枢着し、主パンタグラフ枠と一体に伸縮するよう取付けた延長用パンタグラフ枠とで形成され、この延長用パンタグラフ枠の上端枢着点をスクリーン布の上端部に結合した構成を採用したものである。
【００１２】
上記ケースは、直接床面やテーブル等に設置できるよう、下面に脚のない構造になっていると共に、このケースの内部に水平のレールが設けられ、上記保持杆の下端に取付けたローラをこのレールで保持することにより、保持杆の下端をケースの横方向に移動可能としている。
【００１３】
請求項２の発明は、上記の主パンタグラフ枠の下部に位置する両側長尺枠材の途中が、下端をケースに枢着した弾性伸縮部材でそれぞれ支持されている構成を採用したものである。
【００１４】
この弾性伸縮部材は、伸縮パイプの内部にスプリングを縮設状態で組込み、常時伸長する弾性を蓄積している。
【００１５】
請求項３の発明は、上記スクリーン布は、下部から途中までがスクリーンカットマスクになっている構成を採用したものである。
【００１６】
上記した延長用パンタグラフ枠の接続により、パンタグラフ機構の起立時の高さを、折り畳み時に嵩張らないようにしながら高く設定することができ、これにより、スクリーン布の引き出し長さを長くでき、また、このスクリーン布のスクリーンカットマスクは、スクリーン布を引き出した状態で、従来の脚付き折り畳み式スクリーンの脚の高さ分をフォローするように設け、スクリーン布のイメージ画面の位置を脚付き折り畳み式スクリーンと同じようにすることができる。
【００１７】
請求項４の発明は、上記主パンタグラフ枠及び延長用パンタグラフ枠の夫々を構成する四本の枠材が、前後方向に段差無く枢着されている構成を採用したものである。
【００１８】
本願発明は、二組のパンタグラフ枠を上下に繋ぐことによって高さをかせいでいるので、四本以上の枠材を組んで構成した一組のパンタグラフ機構で高さをかせいだ時のように左右対称位置にある２本の枠材を前後に交差させる必要がなく、各パンタグラフ枠を構成する枠材が前後方向に段差が無く枢着すること、即ち四本の枠材が同一平面上となるように構成することができる。
【発明の効果】
【００１９】
この発明によると、主パンタグラフ枠の上部に一体に伸縮する延長用パンタグラフ枠を設け、この延長用パンタグラフ枠の上端枢着点をスクリーン布の上端部に結合したので、パンタグラフ機構の起立時の高さを、折り畳み時に嵩張らないようにしながら高く設定することができ、これにより、スクリーン布の引き出し長さを長くでき、スクリーン布を長く引き出して自立させることで、脚付き折り畳み式スクリーンの脚に見合う高さを確保することができ、スクリーン布の下部に設けたスクリーンカットマスクで脚付き折り畳み式スクリーンの脚の高さ分をフォローすることで、スクリーン布のイメージ画面の位置を脚付き折り畳み式スクリーンと同じようにすることができる。
【００２０】
また、スクリーン布の引き出し長さを長くでき、スクリーン布を長く引き出して自立させることで、脚付き折り畳み式スクリーンの脚に見合う高さを確保できるので、ケースに対して脚を省くことができ、これにより、折り畳み式スクリーンの部品点数を削減し、持ち運びや収納に対する利便性を十分に生かすことができる。
【００２１】
また、主パンタグラフ枠の下端枢着点をケースに枢着すると共に、主パンタグラフ枠の下部に枢着した左右一対の保持杆の下端をケース内に横移動可能となるよう取付けたので、ケースに対するパンタグラフ機構の取付けが三点支持となり、スクリーン布を収納するとき、スクリーン布の中央から離れた位置を押し下げても、パンタグラフ機構の各枢着結合部分には、両サイドに均等して力がかることになり、これによって、スクリーン布の片落ち状態の発生を無くすことができる。
【００２２】
また、二組のパンタグラフ枠を繋いで高さをかせいでいるので、各パンタグラフ枠を構成する枠材については前後に交差する部分が生じず、前後方向に段差無く枢着して左右対称に構成することができるので、各パンタグラフ枠を構成する枠材の左右不対称に起因するスクリーン布の捻れが生じなくなり、スクリーン面の平面性が保たれ、安定した映像を維持できる。
【００２３】
また、各パンタグラフは四本の枠材を組んだ単純かつ頑強な構造であり、伸ばした時の各パンタグラフの面積が大きく（縦横比が極端に違わない）安定しており、スムーズかつ安定した昇降作動が可能となる。
【発明を実施するための最良の形態】
【００２４】
引き出したスクリーン布を支持するパンタグラフ機構を、四本の長尺枠材を枢着結合して上下の伸縮と折り畳みが可能となるよう組み立てられ、下端枢着点をケースに枢着した主パンタグラフ枠と、この主パンタグラフ枠の下部に位置する両側長尺枠材にそれぞれ途中を枢着し、上端を互に枢着結合すると共に下端をケース内に横移動可能となるよう取付けた左右一対の保持杆と、四本の短尺枠材を枢着結合して上下の伸縮と折り畳みが可能となるよう組み立てられ、下部に位置する両側短尺枠材の途中を、前記主パンタグラフ枠の上部に位置する両側枠材にそれぞれ枢着し、主パンタグラフ枠と一体に伸縮するよう取付けた延長用パンタグラフ枠とで形成し、この延長用パンタグラフ枠の上端枢着点をスクリーン布の上端部に結合する。
【実施例】
【００２５】
図１と図２のように、折り畳み式スクリーンは、上面が開放した横長のケース１１内に、ロール巻きした状態で上方への引き出しと常時巻き取り弾性がスプリングで付勢されたスクリーン布１２を収納し、このスクリーン布１２の後方位置に、下部を前記ケース１１に取付けて上下に伸縮自在となり、上部を前記スクリーン布１２の上端に取付けたパンタグラフ機構１３が設けられている。
【００２６】
上記パンタグラフ機構１３は、角パイプを用いた等しい長さを有する四本の長尺枠材１４をピンで枢着結合して上下の伸縮と折り畳みが可能となるよう組み立てられた主パンタグラフ枠１５と、この主パンタグラフ枠１５の下部とケース１１の間に設ける左右一対の保持杆１６、１６と、主パンタグラフ枠１５の上部に延長状に取付けた延長用パンタグラフ枠１７とで形成され、主パンタグラフ枠１５の下部に位置する両側長尺枠材１４の途中が、下端をケース１１に枢着した弾性伸縮部材１８、１８でそれぞれ支持されている。
主パンタグラフ枠１５は、下端枢着点をピン１９でケース１１の中央位置に枢着し、扁平な折り畳み状態でその全長がケース内に収まるように、ケース１１及び各長尺枠材１４の長さが設定されている。
【００２７】
上記左右一対の保持杆１６、１６は、主パンタグラフ枠１５の下部に位置する両側長尺枠材１４、１４の下部位置にそれぞれ途中をピン２０で枢着し、上端を互にピン２１で枢着結合すると共に、下端がケース１１内に横移動可能となるよう取付けられている。
上記ケース１１は、直接床面やテーブル等に設置できるよう、下面に脚のない構造になっていると共に、このケース１１の内部に水平の溝形レール２２が設けられ、上記保持杆１６、１６の下端に取付けたローラ２３をこのレール２２で保持することにより、保持杆１６、１６の下端をケース１１の横方向に移動可能としている。
【００２８】
上記延長用パンタグラフ枠１７は、角パイプを用いた等しい長さを有する四本の短尺枠材２４をピンで枢着結合して上下の伸縮と折り畳みが可能となるよう組み立てられ、下部に位置する両側短尺枠材２４、２４の途中を、前記主パンタグラフ枠１５の上部に位置する両側枠材１４、１４に交差させ、この交差部分をそれぞれピン２５で枢着し、主パンタグラフ枠１５の上部に延長状に取付けられ、この主パンタグラフ枠１５と一体に伸縮するようになっている。
【００２９】
この延長用パンタグラフ枠１７の上端枢着点２６が、スクリーン布１２の上端部に設けた横棧２７の中央位置に結合されている。
【００３０】
また、弾性伸縮部材１８は、伸縮パイプの内部にスプリングを縮設状態で組込み、常時伸長する弾性を蓄積し、主パンタグラフ枠１５の伸長動作を円滑にすると共に、起立状態を安定よく保持する機能を担っている。
【００３１】
上記スクリーン布１２には、引き出した時の下部の位置にスクリーンカットマスク２８が設けられている。
【００３２】
上記主パンタグラフ枠１５の上部に一体に伸縮する延長用パンタグラフ枠１７を設けたので、パンタグラフ機構１３の起立時の高さを、折り畳み時に嵩張らないようにしながら高く設定することができ、これにより、スクリーン布１２の引き出し長さを長くでき、スクリーン布１２を長く引き出して自立させることで、脚付き折り畳み式スクリーンの脚に見合う高さを確保することができ、このスクリーン布１２の下部に設けたスクリーンカットマスク２８は、脚付き折り畳み式スクリーンの脚の高さ分をフォローする範囲に設定し、これにより、図１のように、引き出したスクリーン布１２のイメージ画面の位置を脚付き折り畳み式スクリーンと同じようにすることができることになる。
【００３３】
この発明の折り畳み式スクリーンは、上記のような構成であり、持ち運びや収納時は、図３（ａ）のように、主パンタグラフ枠１５を扁平に折り畳み、スクリーン布１２を巻き取った状態とすれば、主パンタグラフ枠１５と延長用パンタグラフ枠１７、保持杆１６、１６、弾性伸縮部材１８及びスクリーン布１２の全てがケース内に収まり、全体がケースだけの外形になるので、嵩低くなって持ち運びや収納に便利となる。
【００３４】
上記折り畳み式スクリーンを使用する場合は、ケース１１を直接床面やテーブル等に設置し、図３（ａ）乃至図３（ｅ）で順番に示すように、スクリーン布１２の上端横棧２７を上方に引き上げればよく、ロール巻きしたスクリーン布１２が引き出されていくと共に、主パンタグラフ枠１５の下端がケース１１に枢着され、延長用パンタグラフ枠１７の上端がスクリーン布１２の上端横棧２７に枢着されていることで、延長用パンタグラフ枠１７の上端が上昇すると、延長用パンタグラフ枠１７と主パンタグラフ枠１５が起立するように引き伸ばされ、左右の保持杆１６、１６は主パンタグラフ枠１５との枢着点が上昇して角度が狭まることで、下端が互に接近して鋭角の配置に起立し、主パンタグラフ枠１５の左右の動きを同調させ、同時に弾性伸縮部材１８、１８が、主パンタグラフ枠１５の下部に位置する両長尺枠材１４、１４を押し上げることで伸長動作を円滑にすると共に、起立状態を安定よく保持することになり、図１と図３（ｅ）のように、スクリーン布１２を最大に引き出せば、延長用パンタグラフ枠１７と主パンタグラフ枠１５が起立してスクリーン布１２の引き出した状態を保持することになる。
【００３５】
ここで、主パンタグラフ枠１５の上部に延長用パンタグラフ枠１７を接続することで、パンタグラフ機構１３の起立時の高さを、折り畳み時に嵩張らないようにしながら高く設定することができ、これによって、スクリーン布１２の引き出し長さを長くでき、スクリーン布１２を長く引き出して自立させることで、脚付き折り畳み式スクリーンの脚に見合う高さを確保することができ、このスクリーン布１２の下部に設けたスクリーンカットマスク２８で脚付き折り畳み式スクリーンの脚の高さ分をフォローすることで、スクリーン布１２のイメージ画面の位置を脚付き折り畳み式スクリーンと同じようにすることができる。
【００３６】
このように、スクリーン布１２を長く引き出して自立させることで、脚付き折り畳み式スクリーンの脚に見合う高さを確保できるので、ケース１１に対して脚を省くことができ、これにより、折り畳み式スクリーンの部品点数を削減し、持ち運びや収納に対する利便性を十分に生かすことができる。
【００３７】
なお、スクリーン布１２を格納するときは、スクリーン布１２の上端横棧２７を押し下げればよく、引き伸ばし時とは逆に延長用パンタグラフ枠１７と主パンタグラフ枠１５が折り畳まれ、同時にスクリーン布１２が巻き取られて図のように、ケース１１内に収納される。
【００３８】
このスクリーン布１２の収納時において、主パンタグラフ枠１５の下端枢着点をケース１１に枢着すると共に、主パンタグラフ枠１５の下部に枢着した左右一対の保持杆１６、１６の下端をケース１１内に横移動可能となるよう取付け、ケース１１に対するパンタグラフ機構１３の取付けを三点支持とすることにより、スクリーン布１２の中央から離れた位置を押し下げても、パンタグラフ機構１３の各枢着結合部分には、両サイドに均等して力がかることになり、これによって、スクリーン布１２の片落ち状態の発生を無くすことができる。
【００３９】
図４は主パンタグラフ枠１５を構成する長尺枠材１４同士の枢着部分を（Ａ）の分解斜視図と（Ｂ）の枢着後の斜視図によって説明するものであるが、延長用パンタグラフ枠１７を構成する短尺枠材２４の枢着部分についても同様の構成である。
【００４０】
下側となる長尺枠材１４の上端部には、二枚の円板２９を隙間を開けて構成した凹部材３０が、長尺枠材１４の長手方向上面の延長線より上側に突出するように設けられており、両円板２９の中央部には貫通孔３１が開けられている。
【００４１】
他方上側となる長尺枠材１４の下端部には、上記凹部材３０の二枚の円板２９による隙間に嵌合する程度の厚さの一枚の円板３２からなる凸部材３３が、長尺枠材１４の長手方向下面の延長線より下側に突出するように設けられており、円板３２の中央部には凹部材３０の円板２９と同様に貫通穴３４が設けられている。
【００４２】
上記凹部材３０の隙間に凸部材３３の円板３２を挿入嵌合し、円板２９の貫通穴３１と円板３２の貫通穴３４とを合わせて両貫通穴３１，３４にピン３５を挿通固定することによりって凹部材３０と凸部材３３を枢着する。
【００４３】
上記のような枢着により、円板２９と円板３２は相互に摺動してピン３５を軸心として回動可能となり、両長尺枠材１４は、相互にその角度を自由自在に変化させることができる。
【００４４】
なお、図示のように、凹部材３０の貫通穴３１を長尺枠材１４の長手方向上面の延長線より上側に位置するようにし、凸部材３３の貫通孔３４を長尺枠材１４の長手方向下面の延長線より下側に位置するようにしておくことにより、両長尺枠材１４はピン３５を中心とした角度が０度となるまで重ね合わすことができるようになり、主パンタグラフ枠１５をケース１内に完全に折り畳むことができるようになる。
【００４５】
図５は、延長用パンタグラフ枠１７をスクリーン布１２の上辺の横桟２７に取り付ける部分を拡大した分解斜視図であり、延長用パンタグラフ枠１７を構成する短尺枠材２４の上端部の枢着部分は、図４で示した枢着部分と同様の構成であり、同一の作用をなす部分は同一の名称・符号を使用して説明する。
【００４６】
図示右側の短尺枠材２４の先端部は二枚の円板２９とその中央に開けられた貫通孔３１からなる凹部材３０が設けられ、図示左側の短尺枠材２４の先端部は円板３２とその中央に開けられた貫通孔（図示せず）からなる凸部材３３が設けられており、円板３２を二枚の円板２９の隙間に嵌合してピン３５により枢着されるのは図４と同様の作用であるが、両短尺枠材２４は延長用パンタグラフ枠１７を最大限伸ばした際でも重なり合う（なす角度が０度）になることはないので、図４のように貫通穴３１を短尺枠材２４の外面の延長線上より外側に設ける必要はない。
【００４７】
また、この枢着部の横桟２７への取り付けは、凹部３０と凸部３３からなる関節部分を、２枚の平板を隙間を有して一体化した断面コ時状のブラケット３６の隙間に入れ、ブラケット３６に設けられた貫通孔３７と凹部材３０の貫通孔３１と凸部材３３の貫通孔にピン３５を通してピン止めにて一体化し、更にブラケット３６を横桟２７の中央部に設けられた支持体３９にネジ４０にてネジ止め固定する。
【００４８】
図４及び図５に示す枠材の関節構造によれば、隣り合う枠材が前後方向に段差が無く枢着することができ、各パンタグラフ枠を構成する四本の枠材が同一平面上となるように構成することができ、枠材の左右不対称に起因するスクリーン布の捻れが生じなくなり、スクリーン面の平面性が保たれる。。
【図面の簡単な説明】
【００４９】
【図１】折り畳み式スクリーンのスクリーン布を引き出した使用状態の背面図
【図２】折り畳み式スクリーンのスクリーン布を引き出した使用状態の縦断側面図
【図３】（ａ）乃至（ｅ）は、折り畳み式スクリーンのスクリーン布を引き出す工程を順番に示す背面図
【図４】（Ａ）は枠材の関節構造を示す分解斜視図、（Ｂ）は同斜視図
【図５】枠材のスクリーンへの取付部分を示す分解斜視図
【図６】従来の折り畳み式スクリーンを示す背面図
【図７】従来の折りたたみ式スクリーンの他の例を示す背面斜視図
【符号の説明】
【００５０】
１        ケース
２        脚
３        スクリーン布
４        パンタグラフ機構
５        枠材
６        パンタグラフ枠
７        保持杆
８        横桟
９        枢着点
１０      パンタグラフ枠
１１      ケース
１２      スクリーン布
１３      パンタグラフ機構
１４      長尺枠材
１５      主パンタグラフ枠
１６      保持杆
１７      延長用パンタグラフ枠
１８      弾性伸縮部材
１９      ピン
２０      ピン
２１      ピン
２２      溝形レール
２３      ローラ
２４      短尺枠材
２５      ピン
２６      上端枢着点
２７      横棧
２８      スクリーンカットマスク
２９      円板
３０      凹部材
３１      貫通穴
３２      円板
３３      凸部材
３４      貫通穴
３５      ピン
３６      ブラケット
３７      貫通穴
３８      ピン止め
３９      支持体
４０      ネジ
【図１】
2005345660.tif 000003
【図２】
2005345660.tif 000004
【図３】
2005345660.tif 000005
【図４】
2005345660.tif 000006
【図５】
2005345660.tif 000007
【図６】
2005345660.tif 000008
【図７】
2005345660.tif 000009